【事件の表示】
　特願２０１４−　７７３４６号「遊技機」拒絶査定不服審判事件〔平成２６年　９月１１日出願公開、特開２０１４−１６６５２４号〕について、次のとおり審決する。
【結　論】
　本件審判の請求は、成り立たない。
【理　由】
第１　手続の経緯
　本願は、平成１９年８月１日に出願された特願２００７−２０１２３７号の一部を平成２５年５月１３日に新たに特願２０１３−１０１７５６号として出願し、さらにその一部を平成２６年４月３日に新たな特許出願としたものであって、平成２８年８月２９日付けで拒絶の理由が通知され、同年１１月４日に意見書及び手続補正書が提出されたが、平成２９年２月１０日付けで拒絶査定がなされ（発送日：同年２月１４日）、それに対し、同年５月１２日に拒絶査定不服審判の請求がなされると同時に手続補正書が提出されたものである。
　
　
第２　平成２９年５月１２日付けの手続補正についての補正の却下の決定
　
［補正の却下の決定の結論］
　平成２９年５月１２日付けの手続補正（以下、「本件補正」という。）を却下する。
　
［理由］
１．補正の内容
　本件補正により、平成２８年１１月４日付け手続補正書の特許請求の範囲の請求項１における
「【請求項１】
　複数種類の識別情報を可変表示する可変表示手段に特定表示結果が導出表示されたときに、遊技者にとって有利な有利状態に制御する遊技機であって、
　前記有利状態に制御するか否かを決定する決定手段と、
　前記決定手段による決定結果に基づいて、前記複数種類の識別情報の可変表示パターンを複数種類のうちのいずれかに決定する可変表示パターン決定手段と、
　前記可変表示パターン決定手段により決定された可変表示パターンに従って、前記複数種類の識別情報の可変表示を実行する可変表示実行手段と、
　を備え、
　前記有利状態には、第１有利状態と、当該第１有利状態よりも有利な第２有利状態と、
が含まれ、
　前記複数種類の識別情報には、前記第２有利状態に制御されるときに導出表示可能な前記特定表示結果を構成する特別識別情報が含まれ、
　可変表示パターンは、前記複数種類の識別情報を仮停止態様で仮停止表示させた後に再度可変表示を実行する再可変表示パターンを含み、
　前記複数種類の識別情報が仮停止態様にて仮停止表示したことに対応した演出動作を実行可能であり、
　前記可変表示実行手段が前記再可変表示パターンに従って前記複数種類の識別情報の可変表示を実行するときに、仮停止態様を仮停止表示させるときに該仮停止態様を構成する前記複数種類の識別情報のうち一部に前記特別識別情報を仮停止表示させた場合には、再度実行される可変表示における仮停止態様の仮停止表示では、前記特別識別情報以外の所定の前記識別情報を一部に仮停止表示しない、
　ことを特徴とする遊技機。」
は、審判請求時に提出された平成２９年５月１２日付け手続補正書の特許請求の範囲の請求項１における、
「【請求項１】
　複数種類の識別情報を可変表示する可変表示手段に特定表示結果が導出表示されたときに、遊技者にとって有利な有利状態に制御する遊技機であって、
　前記有利状態に制御するか否かを決定する決定手段と、
　前記決定手段による決定結果に基づいて、前記複数種類の識別情報の可変表示パターンを複数種類のうちのいずれかに決定する可変表示パターン決定手段と、
　前記可変表示パターン決定手段により決定された可変表示パターンに従って、前記複数種類の識別情報の可変表示を実行する可変表示実行手段と、
　を備え、
　前記有利状態には、第１有利状態と、当該第１有利状態よりも有利な第２有利状態と、
が含まれ、
　前記複数種類の識別情報には、前記第２有利状態に制御されるときに導出表示可能な前記特定表示結果を構成する特別識別情報が含まれ、
　可変表示パターンは、前記複数種類の識別情報を仮停止態様で仮停止表示させた後に再度可変表示を実行する再可変表示パターンを含み、
　前記複数種類の識別情報が仮停止態様にて仮停止表示したことに対応し
て、当該仮停止表示した識別情報が複数の動きの組み合わせにより動作する
　前記可変表示実行手段が前記再可変表示パターンに従って前記複数種類の識別情報の可変表示を実行するときに、仮停止態様を仮停止表示させるときに該仮停止態様を構成する前記複数種類の識別情報のうち一部に前記特別識別情報を仮停止表示させた場合には、再度実行される可変表示における仮停止態様の仮停止表示では、前記特別識別情報以外の所定の前記識別情報を一部に仮停止表示しない、
　ことを特徴とする遊技機。」
に補正がなされた（下線は、補正箇所を明示するために当審にて付した。）。
　
　上記補正は、補正前の特許請求の範囲の請求項１に記載した発明を特定するために必要な事項である「演出動作」について、それが、「仮停止表示した識別情報が複数の動きの組み合わせにより動作する演出動作」であると限定したものである。
　さらに、本件補正前の特許請求の範囲の請求項１に記載された発明と本件補正後の特許請求の範囲の請求項１に記載される発明の産業上の利用分野及び解決しようとする課題が同一であるので、上記補正は特許法第１７条の２第５項第２号に掲げる特許請求の範囲の減縮を目的とするものに該当する。
　
　そして、本件補正は新規事項を追加するものではない。
　
３．独立特許要件について
　そこで、本件補正後の特許請求の範囲の請求項１に係る発明は、平成２９年５月１２日付け手続補正書により補正された特許請求の範囲の請求項１に記載された事項により特定されるものと認められるところ、その請求項１に係る発明（以下、「本願補正発明」という。）が特許出願の際独立して特許を受けることができるものであるか（特許法第１７条の２第６項において準用する同法第１２６条第７項の規定に適合するか）について、以下に検討する。
　
（１）　本願補正発明 
 　本願補正発明は、上記１．の補正の内容において示した次のとおりのものである（Ａ〜Ｊは、当審にて分説して付与した。）。  
　
（本願補正発明）
「【請求項１】
Ａ　複数種類の識別情報を可変表示する可変表示手段に特定表示結果が導出表示されたときに、遊技者にとって有利な有利状態に制御する遊技機であって、
Ｂ　前記有利状態に制御するか否かを決定する決定手段と、
Ｃ　前記決定手段による決定結果に基づいて、前記複数種類の識別情報の可変表示パターンを複数種類のうちのいずれかに決定する可変表示パターン決定手段と、
Ｄ　前記可変表示パターン決定手段により決定された可変表示パターンに従って、前記複数種類の識別情報の可変表示を実行する可変表示実行手段と、
　を備え、
Ｅ　前記有利状態には、第１有利状態と、当該第１有利状態よりも有利な第２有利状態と、
が含まれ、
Ｆ　前記複数種類の識別情報には、前記第２有利状態に制御されるときに導出表示可能な前記特定表示結果を構成する特別識別情報が含まれ、
Ｇ　可変表示パターンは、前記複数種類の識別情報を仮停止態様で仮停止表示させた後に再度可変表示を実行する再可変表示パターンを含み、
Ｈ　前記複数種類の識別情報が仮停止態様にて仮停止表示したことに対応して、当該仮停止表示した識別情報が複数の動きの組み合わせにより動作する演出動作を実行可能であり、
Ｉ　前記可変表示実行手段が前記再可変表示パターンに従って前記複数種類の識別情報の可変表示を実行するときに、仮停止態様を仮停止表示させるときに該仮停止態様を構成する前記複数種類の識別情報のうち一部に前記特別識別情報を仮停止表示させた場合には、再度実行される可変表示における仮停止態様の仮停止表示では、前記特別識別情報以外の所定の前記識別情報を一部に仮停止表示しない、
Ｊ　ことを特徴とする遊技機。」
　
（２）刊行物に記載された事項
　これに対して、本願の出願前に頒布された刊行物である特開２００２−２７２９５３号公報（以下、「刊行物１」という。）には、「パチンコ機」の発明に関し、図面と共に以下の事項が記載されている。（下線は当審で付した。）。
（ア）
「【特許請求の範囲】
【請求項１】
複数個の特別図柄を可変表示する可変表示装置を具備し、該可変表示装置の表示結果が予め定めた特定表示態様となった時に特定遊技状態になるパチンコ機において
【請求項２】前記特定表示態様保存手段に保存される、予め定めた特定表示態様の各グループは、確率変動する遊技状態になる特定表示態様が各々異なる数、保存されていることを特徴とする請求項１に記載のパチンコ機。」
　
（イ）
「【０００１】
【発明の属する技術分野】本発明はパチンコ機に関し、特に、特別図柄を可変表示装置で可変表示すると共に、可変表示装置の表示結果が予め定めた特定表示態様となった時に、
遊技者にとって有利な特定遊技状態
　
（ウ）
【０００２】
【従来の技術】従来、一般に、パチンコ機に設けられる可変表示装置は、図柄を可変表示し、表示結果が予め定めた大当り図柄（特定表示態様）となったときに特定遊技状態を発生するようになっていた。また、このような可変表示装置には、図柄変動でリーチとなったとき複数のリーチ変動態様の中からいずれかの変動態様を選択実行するものが提案されていた。ところが、上記従来のような可変表示装置では、リーチ図柄を停止表示した時点でリーチ変動ありを決定すると共に、その停止表示したリーチ図柄によって表示結果の一部を決定していた。このため、リーチ変動は、リーチ図柄以外の図柄に対してのみ行われる構成となり、その変動態様が画一的なものとなっていた。
【０００３】前記問題点を解決する手段として、例えば特開平１０−１９２５００号公報の方法があり、遊技者がリーチ状態と視認し得る態様で可変表示装置を変動制御することで一旦リーチ確定を行った後に表示結果を構成するリーチ状態を導出することにより、リーチ状態を構成する特別図柄に対しても変動制御を行ってリーチ変動を多様化し得るパチンコ機が開示されている。
【０００４】図１０は、前記従来例の可変表示装置に表示された、リーチ状態を説明する図である。リーチ確定がある場合は、図１０（ａ）のリーチ確定時に示すように（同図中では「６・５・６」を例示）、中図柄のみが通常図柄でのリーチハズレをリーチ確定の一旦停止図柄（以下、これをリーチ確定図柄ともいう）として導出する。その後は、一定時間リーチ確定図柄を停止表示した後、全図柄を同時に変動させ、更に一定時間が経過した時点で左右の図柄を図１０（ｂ）のように最終的に停止表示する。即ち、この時点では、図１０（ｂ）のリーチ表示時に示すように（同図中では「７」のリーチ図柄を例示）、左右の図柄「７」のみをリーチ図柄として停止表示する一方、中図柄「６」の変動は継続して行う。
【０００５】前記のように、最終的なリーチ状態を導出する以前にリーチ確定図柄を一旦停止することで遊技者にリーチがある旨を報知して、リーチ状態を構成する左右の図柄に対しても変動制御を行っている。これにより、リーチ変動を多様化することができる。具体的には、一旦遊技者にリーチ状態を視認させた後にそのリーチ状態を最終的なものに変えるので、リーチ図柄を再抽選する表示となり視覚的な興趣向上が可能になる。
【０００６】
【発明が解決しようとする課題】しかし、係る方法では、以下のような問題点があった。即ち、リーチ確定図柄を表示した後に、リーチ状態を最終的なものに変えるのであるが、前記最終的に決定されるリーチ状態は、図柄変動でリーチとなったときに、複数のリーチ変動態様の中からいずれかの変動態様を選択実行するものである。一旦遊技者にリーチ状態を視認させることにより、遊技者の視覚的な興趣、射幸性、期待感を向上させることができるが、最終的に表示されるリーチ状態は不明であり、遊技者のより一層の視覚的な興趣、射幸性、期待感を向上させることが課題であった。
【０００７】本発明は、係る問題を解決して、最初のリーチにおいて、リーチ状態が視認できる表示状態で、リーチの再抽選の結果、リーチとなっている図柄を含む図柄のグループを遊技者に提示して、係る範囲内で再抽選を行ってリーチ図柄の昇格（通常図柄から確率変動をする図柄である確変図柄への昇格）チャンスを提供することにより、遊技者により一層の視覚的な興趣、射幸性、期待感を向上させることができるパチンコ機を提供することを目的としてなされたものである。」
　
（エ）
「【００１１】以下の説明に当たり、次の用語を定義する。
（特定表示態様）特別図柄表示装置に表示される特別図柄が、特定の組み合わせになった状態
（特定遊技状態）特別図柄が同じ図柄で揃う場合で、確率変動をしない「通常当たり」と、確率変動をする「確変当たり」とがある
（通常図柄）この図柄で当たりとなった場合、確率変動を発生しない図柄
（確変図柄）この図柄で当たりとなった場合、確率変動を発生する図柄
（当たり乱数）確変当たりか、通常当たりか、はずれかを決定する乱数
（図柄乱数）停止図柄の抽選を行う乱数。
（通常リーチ）通常図柄によるリーチ。
・・・
【００１５】・・・特別図柄が当たり図柄であった場合で、その当たり図柄の中でもさらに特定の図柄（確変図柄）であった場合には、
当たり動作終了後
確率が
変動する
　
（オ）
「【００２３】主制御部２０８は、遊技機全体の制御を行うＣＰＵ（処理装置）であり、ＲＯＭ（読み出し専用メモリ）２０９およびＲＡＭ（ランダムアクセスメモリ）２１０を内蔵する1チップＣＰＵを使用しても、ＲＯＭ２０９およびＲＡＭ２１０を外付けでバス接続したＣＰＵを使用してもよい。
・・・
【００３０】図３は、特別図柄表示装置１０２の制御回路構成を示す。図３において、本実施形態の特別図柄表示装置１０２の制御回路は、表示指令信号受信回路３０１、電源回路３０２、制御部ＣＰＵ３０３、プログラムＲＯＭ３０４、ＲＡＭ３０５、画像処理用ＬＳＩ（以下、ＶＤＰ（Video Display Processor））３０６、キャラクタＲＯＭ３０７、ビデオＲＡＭ３０８、可変表示装置３０９とを有する。」
　
（カ）
「【００３９】
図４は、
特別図柄の構成を説明する図である。
特別図柄の組み合わせは
複数個のグループに分けられている。
【００４０】各グループは、確率変動する遊技状態になる特定表示態様が各々異なる数、保存されていて、
グループ１は、通常図柄１、２、４と確変図柄３とから構成され、グループ２は通常図柄６、８と確変図柄５、７とから構成され、グループ３は通常図柄９と確変図柄Ａ、Ｂ、Ｃとから構成されている。
【００４１】即ち、
グループ１は確変図柄が１組、グループ２は確変図柄が２組、グループ３は確変図柄が３組ある
　
（キ）
「【００４２】以上述べたシステム構成で本実施形態の処理を以下に説明する前に、発明の理解を助けるために、特別図柄表示装置１０２で特定表示態様を変動制御してリーチ状態を演出する表示画面の変化を図５の概略図で説明する。
・・・
【００４４】図５において、図５（ａ）は、リーチ発生後の再抽選でリーチ図柄が昇格して通常図柄から確変図柄となった場合、図５（ｂ）は、リーチ発生後の再抽選及び、更に再度の再抽選によってもリーチ図柄が昇格しなかった場合を説明する図である。
【００４５】まず、図５（ａ）の場合について説明する。図５（ａ）において、リーチ状態が発生して、特別図柄表示装置１０２に図５（ａ）（イ）のように通常図柄「２」、「２」、「↓」が視認できる程度にゆっくりと移動表示される。ここで、視認できる状態とは、特別図柄表示装置１０２に表示されている前記３つの特別図柄の何れか１つ、又は複数の図柄が、遊技者により確認できる程度にゆっくりと変動表示している状態のことを表している。係る状態において主制御部２０８によって再抽選処理がなされ、特別図柄表示装置１０２に図５（ａ）（ハ）のように特別図柄のリーチ状態として確変図柄「７」、「７」、「↓」が視認できる程度にゆっくりと移動表示される。なお、「↓」は特別図柄表示装置１０２が変動表示している様子を示している。また、図５（ａ）（ロ）は、前記
再抽選処理中に特別図柄表示装置１０２が変動表示している
【００４６】そして、前記再抽選処理のリーチ状態、図５（ａ）（ハ）において、当たりが確定すると、確変図柄が特別図柄表示装置１０２に、図５（ａ）（ホ）のように「７」、「７」、「７」が表示される。なお、図５（ａ）（ニ）は、前記当たりが決定されて特別図柄表示装置１０２が停止するまでの、特別図柄表示装置１０２の変動演出を示し、例えば特別図柄の大きさを変化したりして変動表示している様子を示している。図５（ａ）から明らかなように、本発明ではリーチ状態になった場合、再抽選を行い、リーチ図柄が昇格する場合がある。
【００４７】次に、図５（ｂ）の場合について説明する。図５（ｂ）において、リーチ状態が発生して、特別図柄表示装置１０２に図５（ｂ）（イ）のように通常図柄「２」、「２」、「↓」が視認できる程度にゆっくりと移動表示される。係る状態で主制御部２０８によって再抽選処理がなされ、通常図柄のリーチ状態が特別図柄表示装置１０２に図５（ｂ）（ハ）のように表示される。なお、「↓」は特別図柄表示装置１０２が変動表示している様子を示している。また、図５（ａ）（ロ）は、前記
再抽選処理中に特別図柄表示装置１０２が変動表示している
【００４８】そして、前記リーチ状態において、当たりが確定すると、通常図柄が特別図柄表示装置１０２に、図５（ｂ）ホのように「２」、「２」、「２」が視認できる程度にゆっくりと移動表示される。なお、図５（ｂ）（ニ）は、前記当たりが決定されて特別図柄表示装置１０２が停止するまでの特別図柄表示装置１０２の変動演出を示し、例えば特別図柄の大きさを変化したりして変動表示している様子を示している。
【００４９】図５（ｂ）（ホ）のように「２」、「２」、「２」が確定して再抽選によって特別図柄の昇格がない場合には、再度主制御部２０８によって再抽選処理がなされる。この結果、通常図柄が特別図柄表示装置１０２に図５（ｂ）（ト）のように「２」、「２」、「２」が表示される。なお、「↓」は特別図柄表示装置１０２が変動表示している様子を示している。また、図５（ｂ）（ヘ）は、前記再抽選処理中に特別図柄表示装置１０２が変動表示している様子を示している。
【００５０】図５（ａ）から明らかなように、本発明では
リーチ状態になった場合、再抽選及び、再度の再抽選を行った結果、
更に、
当たりが確定した後に再度
再抽選処理をして
もよい
【００５１】
但し
再抽選、及び再度の再抽選によって特別図柄が降格（当たりから通常当たりになること、又は、通常当たりからはずれになること）はないように予め定めておく
　
（ク）
【００５２】
図６は
リーチ状態を演出する表示画面を、更に詳細に説明
【００５３】図６では、遊技球が始動入賞口１０３に入賞して、特別図柄が変動表示を開始する。そして、図６（ａ）の如く特別図柄が１個表示され、更に、２個目の図柄が表示された後、
図６（ｂ）のようなリーチ状態となり、特別図柄表示装置１０２に通常図柄「２」、「２」、「３」が視認できるように表示された場合
リーチ状態なので
主制御部２０８によって再抽選処理がなされる
再抽選は、グループ１の図柄の組み合わせでリーチ状態となったので、グループ１に含まれる図柄の組み合わせで行われる
【００５４】グループ１に含まれる図柄の組み合わせは、通常図柄１、２、４と確変図柄３とから構成されている。係るグループ１は、特別図柄表示装置１０２に表示されている図柄の組み合わせから判断することができ、グループ１に含まれる図柄の組み合わせを選択して、特別図柄表示装置１０２に図６（ｃ）のように表示する。
・・・
【００５６】更に、前記と同様にして、図６（ｂ）の右側に表示されている確変図柄「３」に対応して変動表示中であることを示す図柄「↓」を特別図柄表示装置１０２の中央に変動表示する。
【００５７】再抽選中であることを示すために、図６（ｄ）に示すような演出を行う。即ち、特別図柄表示装置１０２の左右に表示されたグループ１に含まれる特別図柄の外側を囲った枠６０及び枠６１を上下に移動させ、係る特別図柄に対して再抽選を行っていることを演出する。
・・・
【００５９】
再抽選の結果、図６（ｅ）に示すように、特別図柄表示装置１０２に通常図柄「２」、「２」、「２」が視認できるように表示されると、主制御部２０８によって再度、再抽選がなされる。
【００６０】前記の昇格になる確率は、グループ毎に予め定めておく。また、再抽選、または、再度の再抽選において、降格のないように定めておく。」
　
（ケ）
「【００６１】図７は、本実施形態の処理を説明するフローチャートである。又、図８は、図７における処理Ｓ５４０における詳細を説明するフローチャートである。以下、図７、図８を用いて本発明の処理を説明する。
・・・
【００６３】図７において、遊技機の電源が投入されると、ステップＳ５００の処理により主制御部２０８は画像、ランプ、音声および遊技等に関わる初期設定を行う。その後、主制御部２０８は、周期ｔ毎にステップＳ５１０の処理により当たり乱数ループカウンタを更新することにより、当たり乱数を発生する。
【００６４】図柄変動中に始動入賞口１０３に球が入賞すると、主制御部２０８は、ステップＳ５２０の処理中で、当たり乱数ループカウンタから当たり乱数を読み取り、ＲＡＭ２１０上の保留メモリにバッファリングする。
【００６５】遊技機のエラー発生状況は、主制御部２０８がステップＳ５３０の処理を行うことにより、チェックされる。
主制御部２０８は、図柄変動、役物制御等遊技に関わる制御をステップＳ５４０の遊技管理処理で行う
【００６６】次に、上記図柄変動中に始動入賞口１０３に入賞して保留された保留球に対して、主制御部２０８は、ステップＳ５５０の処理を行うことにより、賞球の払い出しを行い、遊技機外部に遊技状態を伝えるために、主制御部２０８は、ステップＳ５６０の処理を行うことにより情報を外部に伝える。
・・・
【００６８】
図８は、図７におけるステップＳ５４０の遊技管理処理
であって
【００６９】
図８において、ステップＳ８の処理は、従来の抽選処理であって、ステップＳ８０からステップＳ８９までの各処理でなされる
再抽選処理は、ステップＳ９、及び、ステップＳ１０で行われる
【００７０】ステップＳ８の処理において、主制御部２０８は、ステップＳ８０で、図柄乱数ループカウンタから停止図柄を決定する図柄乱数を取得し、乱数が取得された後に前記図柄乱数ループカウンタの更新が行われる。
【００７１】ステップＳ８１の処理において、主制御部２０８は、特別図柄表示装置１０２の変動開始時（図６（ａ））には、前記取得した図柄乱数、および、図７のステップＳ５１０で格納した、ＲＡＭ２１０上の保留メモリに記憶されている当たり乱数に基づいて、変動パターン指定コマンド、および左、中、右の各停止図柄指定コマンド等を特別図柄表示装置１０２へ送信する。
【００７２】
次にステップＳ８２の処理において
当たり乱数に基づいて開始する図柄変動の当たりの判定を行う
【００７３】例えば、特定遊技状態が「通常当たり」で、リーチ種別が「通常リーチ」の場合、特別図柄の種類は、通常図柄となり、図柄乱数から決められた前記通常図柄の中から、左、中、右の各図柄が、図４に示した、例えば、「２」、「２」、「２」等となる。
【００７４】次にステップＳ８４の処理において、
主制御部２０８は、上記の特定遊技状態およびリーチ種別に基づいて、図柄変動の変動パターンを決定する。たとえば上記の「通常当たり」、「通常リーチ」の場合には、変動パターンは図６（ｂ）に示した“はずれ（リーチ）”となり、「２」、「２」、「３」を表示する変動パターン情報が決定される
【００７５】上記図柄変動に必要な情報のセットが済むと、ステップＳ８５の処理において、主制御部２０８は、図柄変動を監視するための変動タイマを所定の値にセットする。
【００７６】ステップＳ８１において、特別図柄表示装置１０２の変動開始時ではない場合には、ステップＳ８６に進み、更に、特別図柄表示装置１０２が変動中でない場合には、ステップＳ９に進む。
【００７７】ステップＳ８６で特別図柄表示装置１０２が変動中の時には、ステップＳ８７に進み、図柄変動を監視するための変動タイマを減算する。ステップＳ８８において、変動タイマのチェックを行い、変動タイマがゼロになるとステップＳ８９に進む。
【００７８】ステップＳ８９において、
主制御部２０８は、特別図柄表示装置１０２の変動表示を決定し、特別図柄表示装置１０２に停止コマンドを出す
特別図柄表示装置１０２は、特別図柄として図６（ｂ）のような図柄を表示する
【００７９】
リーチ状態なので図５で述べたと同様に、主制御部２０８によって再抽選処理がなされる
再抽選は
図６（ｂ）から明らかなように、グループ１の図柄の組み合わせでリーチ状態となったので、グループ１に含まれる図柄の組み合わせで以下のように行われる
　
（コ）
【００８０】図９は、ステップＳ９及び、Ｓ１０の再抽選処理の詳細を示すフローチャートである。図９において、前記ステップＳ８０で取得した図柄乱数の代わりに、グループ内の図柄乱数を用いる。
【００８１】ステップＳ９０の処理において、前記
リーチ状態からグループを判別し、該当するグループを選択する
選択されたグループに含まれる図柄で停止するための、グループ内の図柄乱数を取得する。図６では、図６（ｅ）の「２」、「２」、「２」である
【００８２】そして、ステップＳ８１に進む。
ステップＳ８１からステップＳ８９までの処理は、前記図８におけるステップＳ８１からステップＳ８９までの処理と同一であり
【００８３】但し、図６（ｃ）から図６（ｅ）に示したように、特別図柄表示装置１０２に表示する表示態様は図６（ａ）、図６（ｂ）とは異なる。
【００８４】ステップＳ９の再抽選処理が終了すると、同様にして、
ステップＳ１０において、前記ステップＳ９の再抽選処理と同様の処理がなされ
　
（サ）
　図４から、特別図柄が、１〜９、Ａ〜Ｃを含む特別図柄であることをみることができる。
　
（シ）
　図４から、
　確率変動図柄が、３、５、７、Ａ、Ｂ、Ｃとから構成され、
　通常図柄が、１、２、４、６、８、９とから構成される、
ことをみることができる。
　
（ス）
　図８をみると、ステップＳ５４０の遊技管理処理が、ステップＳ８（抽選処理）、ステップＳ９（再抽選処理）、ステップＳ１０（再抽選処理）の順で処理が行われることをみることができる。
　
（セ）
　図９には、再抽選処理（ステップＳ９、Ｓ１０）が、ステップＳ８１（変動開始）からステップＳ８９（図柄停止決定）までの各処理を備えたステップであることをみることができる。
　
　ここで、　そして、上記記載事項（ア）〜（コ）、図面に記載された事項（サ）〜（セ）から、以下の事項が導かれる。
　
（ソ）
　上記（ア）の【請求項１】には、「複数個の特別図柄を可変表示する可変表示装置を具備し、該可変表示装置の表示結果が予め定めた特定表示態様となった時に特定遊技状態になるパチンコ機において、」と記載されている。
　一方、（イ）の【０００１】には、可変表示装置の表示結果が予め定めた特定表示態様となった時の「特定遊技状態」が「遊技者にとって有利な特定遊技状態」であることが記載され、（エ）の【００１１】には、「特定表示態様」との用語が「特別図柄表示装置に表示される特別図柄が、特定の組み合わせになった状態」と定義され、（サ）のとおり図４には「１〜９、Ａ〜Ｃを含む特別図柄」が示されている。
　
　そうすると、上記事項（ア）、（イ）、（エ）、（サ）から、
「１〜９、Ａ〜Ｃを含む特別図柄を可変表示する可変表示装置を具備し、該可変表示装置の表示結果が予め定めた特定表示態様（特別図柄表示装置に表示される特別図柄が、特定の組み合わせになった状態）となった時に遊技者にとって有利な特定遊技状態になるパチンコ機において、」
との事項が導かれる。（【請求項１】、【０００１】、【００１１】、図４参照）
　
（タ）
　上記（ケ）の【００６５】には、「主制御部２０８は、図柄変動、役物制御等遊技に関わる制御をステップＳ５４０の遊技管理処理で行う。」
と記載されている。
　また、（ケ）の【００６８】〜【００６９】には、「図８は、図７におけるステップＳ５４０の遊技管理処理の詳細であって、・・・図８において、ステップＳ８の処理は、従来の抽選処理であって、ステップＳ８０からステップＳ８９までの各処理でなされる。再抽選処理は、ステップＳ９、及び、ステップＳ１０で行われる。」と記載され、（ス）のとおり図８には、ステップＳ５４０の遊技管理処理が、ステップＳ８、ステップＳ９、ステップＳ１０の順で処理が行われることをみることができる。
　さらに、（セ）のとおり図９には、再抽選処理（ステップＳ９、Ｓ１０）が、ステップＳ８１（変動開始）からステップＳ８９（図柄停止決定）までの各処理を備えたステップであることをみることができるとともに、同図９については（コ）の【００８２】に、「ステップＳ８１からステップＳ８９までの処理は、前記図８におけるステップＳ８１からステップＳ８９までの処理と同一であり」と記載され、同（コ）の【００８４】に、「ステップＳ１０において、前記ステップＳ９の再抽選処理と同様の処理がなされ、・・・」と記載されている。
　
　そうすると、上記事項（ケ）、（コ）、（ス）、（セ）から、
「ステップＳ８１からステップＳ８９までの各処理を備えたステップＳ８、
　再抽選処理であって、ステップＳ８１からステップＳ８９までの各処理を備えたステップＳ９、
　ステップＳ９の再抽選処理と同様の処理であって、ステップＳ８１からステップＳ８９までの各処理を備えたステップ１０、
　の順で処理を行う、
主制御部２０８」
との事項が導かれる。（【００６５】、【００６８】〜【００６９】、【００８２】、【００８４】、図８、図９）
　
（チ）
　上記認定事項（タ）に加えて、上記（ケ）の【００７２】には「次にステップＳ８２の処理において、・・・当たり乱数に基づいて開始する図柄変動の当たりの判定を行う。そして、当たりの判定結果から、・・・図柄の種類が決定され、図柄乱数から前記停止図柄の種類から停止図柄を決定する。」
と記載されており、同（ケ）の【００７４】には「次にステップＳ８４の処理において、・・・特定遊技状態およびリーチ種別に基づいて、図柄変動の変動パターンを決定する。」と記載されている。
　さらに、（エ）の【００１１】には、用語の定義として「特定遊技状態」が「特別図柄が同じ図柄で揃う場合で、確率変動をしない「通常当たり」と、確率変動をする「確変当たり」とがある」状態と定義され、「当たり乱数」が「確変当たりか、通常当たりか、はずれかを決定する乱数」と定義されている。
　さらに、上記（エ）の【００１５】には、「当たり動作終了後、・・・当たり図柄になる確率が・・・変動する。」と記載されている。
　
　そうすると、上記認定事項（タ）に加え、上記事項（エ）、（ケ）から、
「当たり乱数（確変当たりか、通常当たりか、はずれかを決定する乱数）に基づいて開始する図柄変動の当たりの判定を行い、当たりの判定結果から、停止する図柄の種類を決定し、図柄乱数から前記停止図柄の種類から停止図柄を決定し、特別図柄が同じ図柄で揃う場合で、当たり動作終了後に確率変動をしない「通常当たり」と、当たり動作終了後に確率変動をする「確変当たり」とがある特定遊技状態およびリーチ種別に基づいて、図柄変動の変動パターンを決定する各処理（ステップＳ８）、
　再抽選処理であって、当たり乱数に基づいて開始する図柄変動の当たりの判定を行い、当たりの判定結果から、停止する図柄の種類が決定され、図柄乱数から前記停止図柄の種類から停止図柄を決定し、特別図柄が同じ図柄で揃う場合で、確率変動をしない「通常当たり」と、確率変動をする「確変当たり」とがある特定遊技状態およびリーチ種別に基づいて、図柄変動の変動パターンを決定する各処理（ステップＳ９）、
　ステップＳ９の再抽選処理と同様の処理であって、当たり乱数に基づいて開始する図柄変動の当たりの判定を行い、当たりの判定結果から、停止する図柄の種類が決定され、図柄乱数から前記停止図柄の種類から停止図柄を決定し、特別図柄が同じ図柄で揃う場合で、確率変動をしない「通常当たり」と、確率変動をする「確変当たり」とがある特定遊技状態およびリーチ種別に基づいて、図柄変動の変動パターンを決定する各処理（ステップＳ１０）、
　の順で処理を行う、主制御部２０８と、」
との事項が導かれる。（【００１１】、【００１５】、【００６１】、【００６５】、【００６８】〜【００６９】、【００７２】、【００７４】、【００８２】、【００８４】、図８、図９）
　
（ツ）
　上記（ケ）の【００７４】には、「ステップＳ８４の処理において、主制御部２０８は、・・・特定遊技状態およびリーチ種別に基づいて、図柄変動の変動パターンを決定する。たとえば上記の「通常当たり」、「通常リーチ」の場合には、変動パターンは図６（ｂ）に示した“はずれ（リーチ）”となり、「２」、「２」、「３」を表示する変動パターン情報が決定される。」と記載され、同（ケ）の【００７８】には、「・・・特別図柄表示装置１０２は、特別図柄として図６（ｂ）のような図柄を表示する。」と記載されている。
　また（サ）のとおり図４から、特別図柄が、「１〜９、Ａ〜Ｃを含む特別図柄」であることをみることができる。
　
　そうすると、上記認定事項（チ）に加え、事項（ケ）、（サ）から、
「主制御部２０８は、特定遊技状態およびリーチ種別に基づいて、図柄変動の変動パターンを決定し、表示する変動パターン情報が決定し、
　１〜９、Ａ〜Ｃを含む特別図柄として、変動パターン情報を表示する特別図柄表示装置１０２を備え、」
との事項を導くことができる。（【００７４】、【００７８】、図４に加え、【００１１】、【００１５】、【００６１】、【００６５】、【００６８】〜【００６９】、【００７２】、【００８２】、【００８４】、図８、図９。）
　
（テ）
　上記（イ）の【０００１】には、特定遊技状態について「遊技者にとって有利な特定遊技状態」と記載される一方、（エ）の【００１１】には用語の定義として「特定遊技状態」について「特別図柄が同じ図柄で揃う場合で、確率変動をしない「通常当たり」と、確率変動をする「確変当たり」とがある。」と記載されている。
　また、上記（エ）の【００１５】には、「当たり動作終了後、・・・当たり図柄になる確率が・・・変動する。」と記載されている。
　
　そうすると、上記事項（イ）、（エ）から、
「遊技者にとって有利な特定遊技状態には、特別図柄が同じ図柄で揃う場合で、当たり動作終了後に確率変動をしない「通常当たり」と、当たり動作終了後に確率変動をする「確変当たり」とがあり、」
との事項が導かれる。（【０００１】、【００１１】、【００１５】参照）
　
（ト）
　上記（エ）の【００１１】には、用語の定義として
「（通常図柄）この図柄で当たりとなった場合、確率変動を発生しない図柄。
（確変図柄）この図柄で当たりとなった場合、確率変動を発生する図柄。
（当たり乱数）確変当たりか、通常当たりか、はずれかを決定する乱数。」
と記載されている。
　一方、（カ）の【００３９】〜【００４０】には、「図４は、・・・特別図柄の構成を説明する図である。・・・特別図柄の組み合わせは・・・複数個のグループに分けられている。・・・グループ１は、通常図柄１、２、４と確変図柄３とから構成され、グループ２は通常図柄６、８と確変図柄５、７とから構成され、グループ３は通常図柄９と確変図柄Ａ、Ｂ、Ｃとから構成されている。」と記載され、
　また（サ）のとおり図４から、特別図柄が、「１〜９、Ａ〜Ｃを含む特別図柄」であることをみることができる。
　
　そうすると、上記事項（エ）、（カ）、（サ）から、
「１〜９、Ａ〜Ｃを含む特別図柄の組み合わせのうち、当たりとなった場合、確率変動を発生しない図柄である通常図柄は１、２、４、６、８、９とから構成され、当たりとなった場合、確率変動を発生する図柄である確変図柄は３、５、７、Ａ、Ｂ、Ｃとから構成され、」
との事項が導かれる。（【００１１】、【００３９】、【００４０】、図４）
　
（ナ）
　上記（キ）の【００４５】には、
「・・・前記再抽選処理中に特別図柄表示装置１０２が変動表示している」と記載され、
（ク）の【００５２】には、
「図６は、図５におけるリーチ状態を演出する表示画面を、更に詳細に説明する図である。・・・」、
（ク）の【００５３】には、
「図６（ｂ）のようなリーチ状態となり、特別図柄表示装置１０２に通常図柄「２」、「２」、「３」が視認できるように表示された場合である。・・・リーチ状態なので図５で述べたと同様に、主制御部２０８によって再抽選処理がなされる。
・・・
【００５９】再抽選の結果、図６（ｅ）に示すように、特別図柄表示装置１０２に通常図柄「２」、「２」、「２」が視認できるように表示されると、・・・」と記載され、
（ケ）の【００７４】には、
「ステップＳ８４の処理において、主制御部２０８は、・・・特定遊技状態およびリーチ種別に基づいて、図柄変動の変動パターンを決定する。たとえば上記の「通常当たり」、「通常リーチ」の場合には、変動パターンは図６（ｂ）に示した“はずれ（リーチ）”となり、「２」、「２」、「３」を表示する変動パターン情報が決定される。」
と記載されている。
　
　そうすると、上記事項（キ）、（ク）、（ケ）から、
「主制御部２０８は、特定遊技状態およびリーチ種別に基づいて、図柄変動の変動パターンを決定し、たとえば上記の「通常当たり」、「通常リーチ」の場合には、変動パターンは“はずれ（リーチ）”となり、「２」、「２」、「３」を表示する変動パターン情報が決定され
　リーチ状態を演出する表示画面は、特別図柄が変動表示を開始し、リーチ状態となり、特別図柄表示装置１０２に通常図柄「２」、「２」、「３」が視認できるように表示された場合、再抽選処理がなされ、再抽選処理中に特別図柄表示装置１０２が変動表示し、」
との事項が導かれる。（【００４５】、【００５２】、【００５３】、【００５９】、【００７４】）
　
（ニ）
　上記（カ）の【００４０】には、
「各グループは、・・・、グループ１は、通常図柄１、２、４と確変図柄３とから構成され、グループ２は通常図柄６、８と確変図柄５、７とから構成され、グループ３は通常図柄９と確変図柄Ａ、Ｂ、Ｃとから構成されている。
【００４１】即ち、グループ１は確変図柄が１組、グループ２は確変図柄が２組、グループ３は確変図柄が３組ある。・・・」
と記載され、
（キ）の【００４７】には、
「再抽選処理中に特別図柄表示装置１０２が変動表示している」、
（ク）の【００５３】には、
「図６（ｂ）のようなリーチ状態となり、特別図柄表示装置１０２に通常図柄「２」、「２」、「３」が視認できるように表示された場合・・・。再抽選は、グループ１の図柄の組み合わせでリーチ状態となったので、グループ１に含まれる図柄の組み合わせで行われる。」、
（ク）の【００５９】には、
「再抽選の結果、図６（ｅ）に示すように、特別図柄表示装置１０２に通常図柄「２」、「２」、「２」が視認できるように表示されると、主制御部２０８によって再度、再抽選がなされる。」、
（ケ）の【００７８】〜【００７９】には、
「ステップＳ８９において、主制御部２０８は、特別図柄表示装置１０２の変動表示を決定し、特別図柄表示装置１０２に停止コマンドを出す。特別図柄表示装置１０２は、特別図柄として図６（ｂ）のような図柄を表示する。
　リーチ状態なので図５で述べたと同様に、主制御部２０８によって再抽選処理がなされる。再抽選は、・・・。図６（ｂ）から明らかなように、グループ１の図柄の組み合わせでリーチ状態となったので、グループ１に含まれる図柄の組み合わせで以下のように行われる。」、
（コ）の【００８１】には、
「前記リーチ状態からグループを判別し、該当するグループを選択する。・・・選択されたグループに含まれる図柄で停止するための、グループ内の図柄乱数を取得する。図６では、図６（ｅ）の「２」、「２」、「２」である。」、
と記載されている。
　
　そうすると、上記事項（カ）、（キ）、（ク）、（ケ）、（コ）から、
「主制御部２０８は、特別図柄表示装置１０２の変動表示を決定し、特別図柄表示装置１０２に停止コマンドを出し、特別図柄表示装置１０２は、特別図柄として図柄を表示し、
　たとえば、リーチ状態となり、特別図柄表示装置１０２に通常図柄「２」、「２」、「３」が視認できるように表示された場合、
　リーチ状態なので、主制御部２０８によって再抽選処理がなされ、再抽選処理中に特別図柄表示装置１０２が変動表示し、
　再抽選は、
　前記リーチ状態からグループを判別し、該当するグループを選択し、グループ１は、通常図柄１、２、４と確変図柄３とから構成され、確変図柄が１組あり、
　リーチ状態となり、特別図柄表示装置１０２に通常図柄「２」、「２」、「３」が視認できるように表示された場合、再抽選は、グループ１の図柄の組み合わせでリーチ状態となったので、グループ１に含まれる図柄の組み合わせで行われ、
　選択されたグループに含まれる図柄で停止するための、グループ内の図柄乱数を取得し（たとえば図６（ｅ）の「２」、「２」、「２」であり、）
　再抽選の結果、たとえば図６（ｅ）に示すように、特別図柄表示装置１０２に通常図柄「２」、「２」、「２」が視認できるように表示されると、主制御部２０８によって再度、再抽選がなされ、」
との事項が導かれる。（【００４０】、【００４１】、【００４７】、【００５３】、【００５９】、【００７０】、【００７８】、【００７９】、【００８１】）
　
（ヌ）
　上記（キ）の【００５０】〜【００５１】には、
「リーチ状態になった場合、再抽選・・・を行った結果、・・・。更に、・・・当たりが確定した後に再度、・・・再抽選処理をして・・・もよい。・・・。
　但し、・・・再抽選、及び再度の再抽選によって特別図柄が降格（当たりから通常当たりになること、又は、通常当たりからはずれになること）はないように予め定めておく。」
との記載がある。
　
　一方、上記（ク）の【００５９】の
「再度の再抽選の結果、当たりに昇格すると、確変図柄「３」、「３」、「３」が表示される。」との記載から、「当たり」とは、「確変図柄での当たり」であることが明らかであり、
　また（シ）のとおり図４から、「確率変動図柄が、３、５、７、Ａ、Ｂ、Ｃとから構成され、通常図柄が、１、２、４、６、８、９とから構成される」
ことをみることができる。
　
　そうすると、上記事項（ク）、（シ）、図４から、
「再抽選を行った結果、当たりが確定した後に再度、再抽選処理をして表示し、
　再抽選によって、特別図柄が、特別図柄が降格（３、５、７、Ａ、Ｂ、Ｃとから構成される確変図柄で当たりから、１、２、４、６、８、９とから構成される通常図柄で当たりになること、又は、通常図柄で当たりからはずれになること）はないように予め定めておく、」
との事項を導くことができる。（【００５０】、【００５１】、【００５９】、図４）
　
　そして、そして、上記記載事項（ア）〜（コ）、図面に記載された事項（サ）〜（セ）、及び（ア）〜（セ）に基づく認定事項（ソ）〜（ヌ）を総合すると、刊行物１には、次の発明（以下、「引用発明」という。）が記載されていると認められる（ａ〜ｊは、本願補正発明のＡ〜Ｊに対応させて当審にて付与した。）。
　
（引用発明）
「ａ　１〜９、Ａ〜Ｃを含む特別図柄を可変表示する可変表示装置を具備し、該可変表示装置の表示結果が予め定めた特定表示態様（特別図柄表示装置に表示される特別図柄が、特定の組み合わせになった状態）となった時に遊技者にとって有利な特定遊技状態になるパチンコ機において、
（【請求項１】、【０００１】、【００１１】、図４参照）
　
ｂ、ｃ　当たり乱数（確変当たりか、通常当たりか、はずれかを決定する乱数）に基づいて開始する図柄変動の当たりの判定を行い、当たりの判定結果から、停止する図柄の種類を決定し、図柄乱数から前記停止図柄の種類から停止図柄を決定し、特別図柄が同じ図柄で揃う場合で、当たり動作終了後に確率変動をしない「通常当たり」と、当たり動作終了後に確率変動をする「確変当たり」とがある特定遊技状態およびリーチ種別に基づいて、図柄変動の変動パターンを決定する各処理（ステップＳ８）、
　再抽選処理であって、当たり乱数に基づいて開始する図柄変動の当たりの判定を行い、当たりの判定結果から、停止する図柄の種類が決定され、図柄乱数から前記停止図柄の種類から停止図柄を決定し、特別図柄が同じ図柄で揃う場合で、確率変動をしない「通常当たり」と、確率変動をする「確変当たり」とがある特定遊技状態およびリーチ種別に基づいて、図柄変動の変動パターンを決定する各処理（ステップＳ９）、
　ステップＳ９の再抽選処理と同様の処理であって、当たり乱数に基づいて開始する図柄変動の当たりの判定を行い、当たりの判定結果から、停止する図柄の種類が決定され、図柄乱数から前記停止図柄の種類から停止図柄を決定し、特別図柄が同じ図柄で揃う場合で、確率変動をしない「通常当たり」と、確率変動をする「確変当たり」とがある特定遊技状態およびリーチ種別に基づいて、図柄変動の変動パターンを決定する各処理（ステップＳ１０）、
　の順で処理を行う、主制御部２０８と、
（【００１１】、【００１５】、【００６１】、【００６５】、【００６８】〜【００６９】、【００７２】、【００７４】、【００８２】、【００８４】、図８、図９）
　
ｄ　主制御部２０８は、特定遊技状態およびリーチ種別に基づいて、図柄変動の変動パターンを決定し、表示する変動パターン情報が決定し、
　１〜９、Ａ〜Ｃを含む特別図柄として、変動パターン情報を表示する特別図柄表示装置１０２を備え、
（【００７４】、【００７８】、図４に加え、【００１１】、【００１５】、【００６１】、【００６５】、【００６８】〜【００６９】、【００７２】、【００８２】、【００８４】、図８、図９）
　
ｅ　遊技者にとって有利な特定遊技状態には、特別図柄が同じ図柄で揃う場合で、当たり動作終了後に確率変動をしない「通常当たり」と、当たり動作終了後に確率変動をする「確変当たり」とがあり、
（【０００１】、【００１１】、【００１５】参照）
　
ｆ　１〜９、Ａ〜Ｃを含む特別図柄の組み合わせのうち、当たりとなった場合、当たり動作終了後に確率変動を発生しない図柄である通常図柄は１、２、４、６、８、９とから構成され、当たりとなった場合、当たり動作終了後に確率変動を発生する図柄である確変図柄は３、５、７、Ａ、Ｂ、Ｃとから構成され、
（【００１１】、【００３９】、【００４０】、図４）
　
ｇ　主制御部２０８は、特定遊技状態およびリーチ種別に基づいて、図柄変動の変動パターンを決定し、たとえば上記の「通常当たり」、「通常リーチ」の場合には、変動パターンは“はずれ（リーチ）”となり、「２」、「２」、「３」を表示する変動パターン情報が決定され
　リーチ状態を演出する表示画面は、特別図柄が変動表示を開始し、リーチ状態となり、特別図柄表示装置１０２に通常図柄「２」、「２」、「３」が視認できるように表示された場合、再抽選処理がなされ、再抽選処理中に特別図柄表示装置１０２が変動表示し、
（【００４５】、【００５２】、【００５３】、【００５９】、【００７４】）
　
ｉ　主制御部２０８は、特別図柄表示装置１０２の変動表示を決定し、特別図柄表示装置１０２に停止コマンドを出し、特別図柄表示装置１０２は、特別図柄として図柄を表示し、
　たとえば、リーチ状態となり、特別図柄表示装置１０２に通常図柄「２」、「２」、「３」が視認できるように表示された場合、
　リーチ状態なので、主制御部２０８によって再抽選処理がなされ、再抽選処理中に特別図柄表示装置１０２が変動表示し、
　再抽選は、
　前記リーチ状態からグループを判別し、該当するグループを選択し、グループ１は、通常図柄１、２、４と確変図柄３とから構成され、確変図柄が１組あり、
　リーチ状態となり、特別図柄表示装置１０２に通常図柄「２」、「２」、「３」が視認できるように表示された場合、再抽選は、グループ１の図柄の組み合わせでリーチ状態となったので、グループ１に含まれる図柄の組み合わせで行われ、
　選択されたグループに含まれる図柄で停止するための、グループ内の図柄乱数を取得し（たとえば図６（ｅ）の「２」、「２」、「２」であり、）
　再抽選の結果、たとえば図６（ｅ）に示すように、特別図柄表示装置１０２に通常図柄「２」、「２」、「２」が視認できるように表示されると、主制御部２０８によって再度、再抽選がなされ、
（【００４０】、【００４１】、【００４７】、【００５３】、【００５９】、【００７０】、【００７８】、【００７９】、【００８０】、【００８１】）
　再抽選を行った結果、当たりが確定した後に再度、再抽選処理をして表示し、
　再抽選によって、特別図柄が、特別図柄が降格（３、５、７、Ａ、Ｂ、Ｃとから構成される確変図柄で当たりから、１、２、４、６、８、９とから構成される通常図柄で当たりになること、又は、通常図柄で当たりからはずれになること）はないように予め定めておく、
（【００５０】、【００５１】、【００５９】、図４）
　
ｊ　パチンコ機。（【請求項１】）」
　
（３）対比
　本願補正発明と引用発明とを、分説に従い対比する（対比の見出しとしての（ａ）〜（ｊ）は、引用発明の分説構成と対応させた。）。
　
（ａ）
　引用発明における構成ａの「１〜９、Ａ〜Ｃを含む特別図柄」、「可変表示装置」、「特定表示態様（特別図柄表示装置に表示される特別図柄が、特定の組み合わせになった状態）」、「遊技者にとって有利な特定遊技状態になる」、「パチンコ機」は、それぞれ本願補正発明の構成Ａの「複数種類の識別情報」、「可変表示手段」、「特定表示結果」、「遊技者にとって有利な有利状態に制御する」、「遊技機」に相当する。
　
　してみると、引用発明における構成ａは、本願補正発明における構成Ａに相当する構成を備えているといえる。
　
（ｂ）（ｃ）
　引用発明における構成ｂ、ｃのステップＳ８、Ｓ９、Ｓ１０における「当たり乱数（確変当たりか、通常当たりか、はずれかを決定する乱数）に基づいて開始する図柄変動の当たりの判定」のうち、少なくとも最後のステップ１０における「当たり乱数（確変当たりか、通常当たりか、はずれかを決定する乱数）に基づいて開始する図柄変動の当たりの判定」は、最終的な結果に影響を与えていることが明らかであるから、本願補正発明の構成Ｂの「有利状態に制御するか否かを決定」に相当し、引用発明における構成ｂ、ｃの「処理を行う、主制御部２０８」は本願補正発明の構成Ｂの「決定手段」に相当する。
　また、引用発明における構成ｂ、ｃの「図柄変動の変動パターン」における図柄とは、引用発明の構成ａにおける「１〜９、Ａ〜Ｃを含む特別図柄」のことが明らかであるから、引用発明における構成ｂ、ｃの「図柄変動の変動パターン」とは、本願補正発明の構成Ｃの「複数種類の識別情報の可変表示パターン」に相当する。
　
　そして、引用発明の構成ｂ、ｃにおける
「
当たりの判定結果から
前記停止図柄の種類から停止図柄を決定
特別図柄が同じ図柄で揃う場合で
特定遊技状態およびリーチ種別に基づいて、図柄変動の変動パターンを決定
　してみると、引用発明の構成ｂ、ｃにおける「図柄変動の変動パターンを決定」するステップＳ８、Ｓ９、Ｓ１０の順で処理を行う「主制御部２０８」は、本願補正発明の「決定手段による決定結果に基づいて、前記複数種類の識別情報の可変表示パターンを複数種類のうちのいずれかに決定する可変表示パターン決定手段」に相当するものである。
　
　してみると、引用発明における構成ｂ、ｃは、本願補正発明における構成Ｂ、Ｃに相当する構成を備えているといえる。
　
（ｄ）
　引用発明における構成ｄの「変動パターン」、「１〜９、Ａ〜Ｃを含む特別図柄」、「変動表示」、「特別図柄表示装置１０２」はそれぞれ本願補正発明の、「可変表示パターン」、「複数種類の識別情報」、「可変表示」、「可変表示実行手段」にそれぞれ相当する。
　そして、引用発明において、変動パターン（可変表示パターン）に従って、変動表示（可変表示）が実行されているのは当然のことである。
　
　してみると、引用発明における構成ｄは、本願補正発明における構成Ｄに相当する構成を備えているといえる。
　
（ｅ）
　引用発明における構成ｅの「遊技者にとって有利な特定遊技状態」、「確率変動をしない「通常当たり」」、「確率変動をする「確変当たり」」は、それぞれ本願補正発明の、「有利状態」、「第１有利状態」、「当該第１有利状態よりも有利な第２有利状態」に相当する。
　
　してみると、引用発明における構成ｅは、本願補正発明における構成Ｅに相当する構成を備えているといえる。
　
（ｆ）
　引用発明における「１〜９、Ａ〜Ｃを含む特別図柄」、「当たりとなった場合、確率変動を発生する図柄である確変図柄」、「３、５、７、Ａ、Ｂ、Ｃ」のうちたとえば「３」は、それぞれ本願補正発明の「複数種類の識別情報」、「第２有利状態に制御されるときに導出表示可能な前記特定表示結果」、「特定表示結果を構成する特別識別情報」に相当する。
　そして、引用発明において、「３、５、７、Ａ、Ｂ、Ｃ」のうちたとえば「３」（特定表示結果を構成する特別識別情報）が、１〜９、Ａ〜Ｃを含む特別図柄（複数種類の識別情報）に含まれるものであることは明らかである。
　
　してみると、引用発明における構成ｆは、本願補正発明における構成Ｆに相当する構成を備えているといえる。
　
（ｇ）
　引用発明の構成ｇにおける「通常図柄「２」、「２」、「３」」は、２種類の図柄が用いられているのだから、本願補正発明の「複数種類の識別情報」に相当する。
　そこで、引用発明の構成ｇにおける「リーチ状態となり、特別図柄表示装置１０２に通常図柄「２」、「２」、「３」が視認できるように表示」が、本願補正発明の構成Ｇにおける「複数種類の識別情報を仮停止態様で仮停止表示させ」に相当するか否かについて検討するために、引用文献１をさらにみてみる。すると、上記（ウ）の【０００４】〜【０００６】には、従来の技術として、
「図１０は、前記従来例の可変表示装置に表示された、リーチ状態を説明する図である。リーチ確定がある場合は、・・・（同図中では「６・５・６」を例示）、中図柄のみが通常図柄でのリーチハズレを
リーチ確定の一旦停止図柄
として導出
一定時間リーチ確定図柄を停止表示した後、全図柄を同時に変動させ
・・・具体的には、
一旦遊技者にリーチ状態を視認させ
　しかし、係る方法では、・・・。
一旦遊技者にリーチ状態を視認させることにより、遊技者の視覚的な興趣、射幸性、期待感を向上させることができる
と記載されている。
　そうすると、
引用発明は、その発明の前提として、「リーチ状態」を「視認できるように表示」するとは、導出したリーチ図柄を「一旦停止図柄」として「一定時間」、「停止表示」するものを意味していると解するのが相当
　そして、上記理解に基づいて引用発明の構成ｇをみると、「リーチ状態となり、特別図柄表示装置１０２に通常図柄「２」、「２」、「３」が視認できるように表示」とが、本願補正発明の「複数種類の識別情報を仮停止態様で仮停止表示」に相当することは明らかというべきである。
　また、引用発明における「再抽選処理がなされ、再抽選処理中に特別図柄表示装置１０２が変動表示」するその一連の表示態様は、本願補正発明の「再度可変表示を実行する再可変表示パターン」に相当する。
　
　してみれば、引用発明における「特別図柄が変動表示を開始し、特別図柄が１個表示され、更に、２個目の図柄が表示された後、リーチ状態となり、特別図柄表示装置１０２に通常図柄「２」、「２」、「３」が視認できるように表示された場合、再抽選処理がなされ、再抽選処理中に特別図柄表示装置１０２が変動表示」する一連の表示態様は、本願補正発明における「複数種類の識別情報を仮停止態様で仮停止表示させた後に再度可変表示を実行する再可変表示パターン」を含む「可変表示パターン」に相当するものである。
　
　したがって、引用発明における構成ｇは、本願補正発明における構成Ｇに相当する構成を備えているといえる。
　
（ｉ）
（ア）引用発明の構成ｉにおける
「再抽選処理がなされ、再抽選処理中に特別図柄表示装置１０２が変動表示」する表示態様は、本願補正発明の構成Ｉの「再度可変表示を実行する再可変表示パターン」に相当する。また引用発明において「再抽選処理中に特別図柄表示装置１０２が変動表示」することは、本願補正発明の「可変表示実行手段が前記再可変表示パターンに従って前記複数種類の識別情報の可変表示を実行する」ことに相当する。
　
（イ）また、引用発明の構成ｉにおける「リーチ状態となり、特別図柄表示装置１０２に通常図柄「２」、「２」、「３」が視認できるように表示」された場合が、本願補正発明の「仮停止態様を仮停止表示」させることに相当する点は上記説示のとおりである。
　ここで、引用発明の構成ｉでは「主制御部２０８は、特別図柄表示装置１０２の変動表示を決定し、特別図柄表示装置１０２に停止コマンドを出し、特別図柄表示装置１０２は、特別図柄として図柄を表示」しているが、その一方で、当該特別図柄が３、５、７、Ａ、Ｂ、Ｃとから構成される確変図柄で当たりとなる場合があることは明らかなことである。
　そうすると、
引用発明の構成ｉの「主制御部２０８は、特別図柄表示装置１０２の変動表示を決定し、特別図柄表示装置１０２に停止コマンドを出し、特別図柄表示装置１０２は、特別図柄として図柄を表示」して、３、５、７、Ａ、Ｂ、Ｃとから構成される確変図柄でリーチ状態（たとえば、「３」、「３」、「３以外の図柄」）を視認できるように表示する場合があることは、引用発明の構成ｉから明らか
　
　してみれば、引用発明の構成ｉにおいて「主制御部２０８は、特別図柄表示装置１０２の変動表示を決定し、特別図柄表示装置１０２に停止コマンドを出し、特別図柄表示装置１０２は、特別図柄として図柄を表示」する際、３、５、７、Ａ、Ｂ、Ｃとから構成される確変図柄でリーチ状態
（たとえば、「３」、「３」、「３以外の図柄」）を視認できるように表示する場合
一部に前記特別識別情報を仮停止表示
　
（ウ）引用発明の構成ｉにおける再抽選で、
「主制御部２０８は、特別図柄表示装置１０２の変動表示を決定し、特別図柄表示装置１０２に停止コマンドを出し、特別図柄表示装置１０２は、特別図柄として図柄を表示」するその「表示」は、例示として、特別図柄表示装置１０２に通常図柄「２」、「２」、「２」が
視認できるように表示
「停止態様」の表示
　さらに、引用発明においては、「再抽選を行った結果、当たりが確定した後に再度、再抽選処理をして表示」しており、再抽選の後には続きがあるのだから、
再抽選において
「主制御部２０８は、特別図柄表示装置１０２の変動表示を決定し、特別図柄表示装置１０２に停止コマンドを出し、特別図柄表示装置１０２は、特別図柄として図柄を表示」するその
「表示」は、最終態様ではなく、「仮」の「表示」というべき
　
　してみれば、引用発明の構成ｉにおける「再抽選」で、「主制御部２０８は、特別図柄表示装置１０２の変動表示を決定し、特別図柄表示装置１０２に停止コマンドを出し、特別図柄表示装置１０２は、特別図柄として図柄を表示」するその「表示」は、本願補正発明の構成Ｉにおける「再度実行される可変表示における
仮停止態様の仮停止表示
　
（エ）引用発明の構成ｉの、
　引用発明の構成ｉの「主制御部２０８は、特別図柄表示装置１０２の変動表示を決定し、特別図柄表示装置１０２に停止コマンドを出し、特別図柄表示装置１０２は、特別図柄として図柄を表示」し、３、５、７、Ａ、Ｂ、Ｃとから構成される確変図柄でリーチ状態
（たとえば、「３」、「３」、「３以外の図柄」）を視認できるように表示」する場合があることは上記説示のとおり
たとえば、「３」、「３」、「３以外の図柄」のうち、「３」、「３」、は、本願補正発明の「特別識別情報」に相当するもの
　
　一方、引用発明の構成ｉにおける
「再抽選によって、特別図柄が、特別図柄が降格（３、５、７、Ａ、Ｂ、Ｃとから構成される確変図柄で当たりから、１、２、４、６、８、９とから構成される通常図柄で当たりになること、又は、通常図柄で当たりからはずれになること）はないように予め定め」ておくのだから、
その結果として、たとえば、確変図柄でリーチ状態の「３」、「３」、「３以外の図柄」は、再度実行される可変表示における仮停止態様の仮停止表示で、「３」「３」「３」を仮停止表示することは明らか
　そうすると、引用発明の構成ｉにおいて、確変図柄でリーチ状態の「３」、「３」、「３以外の図柄」は、再度実行される可変表示における仮停止態様の仮停止表示で、「３」、「３」、「３」を仮停止表示することは明らかであり、
確変図柄でリーチ状態の「３」、「３」、「３以外の図柄」のうち、左、中の「３」、「３」（本願補正発明の「一部に前記特別識別情報を仮停止表示させた場合」における「一部」の「特別識別情報に相当」）は、再度実行される可変表示における仮停止態様の仮停止表示では、「３」（特別識別情報）以外の識別情報を同位置に仮停止表示しないことは明らかである。
　
　上記（ア）〜（エ）をふまえると、引用発明における構成ｉは、本願補正発明における構成Ｉに相当する構成を備えているというべきである。
　
（ｊ）引用発明の構成ｊにおける「パチンコ機」は、本願補正発明の構成Ｊにおける「遊技機」に相当する。
　引用発明における構成ｊは、本願補正発明における構成Ｊに相当する構成を備えている。
　
　してみると、上記（ａ）〜（ｊ）によれば、本願補正発明と引用発明との一致点及び相違点は以下のとおりである。
　
（一致点）
「Ａ　複数種類の識別情報を可変表示する可変表示手段に特定表示結果が導出表示されたときに、遊技者にとって有利な有利状態に制御する遊技機であって、
Ｂ　前記有利状態に制御するか否かを決定する決定手段と、
Ｃ　前記決定手段による決定結果に基づいて、前記複数種類の識別情報の可変表示パターンを複数種類のうちのいずれかに決定する可変表示パターン決定手段と、
Ｄ　前記可変表示パターン決定手段により決定された可変表示パターンに従って、前記複数種類の識別情報の可変表示を実行する可変表示実行手段と、
　を備え、
Ｅ　前記有利状態には、第１有利状態と、当該第１有利状態よりも有利な第２有利状態と、
が含まれ、
Ｆ　前記複数種類の識別情報には、前記第２有利状態に制御されるときに導出表示可能な前記特定表示結果を構成する特別識別情報が含まれ、
Ｇ　可変表示パターンは、前記複数種類の識別情報を仮停止態様で仮停止表示させた後に再度可変表示を実行する再可変表示パターンを含み、
Ｉ　前記可変表示実行手段が前記再可変表示パターンに従って前記複数種類の識別情報の可変表示を実行するときに、仮停止態様を仮停止表示させるときに該仮停止態様を構成する前記複数種類の識別情報のうち一部に前記特別識別情報を仮停止表示させた場合には、再度実行される可変表示における仮停止態様の仮停止表示では、前記特別識別情報以外の所定の前記識別情報を一部に仮停止表示しない、
Ｊ　遊技機。」
　
（相違点）
（構成Ｈについて）
　本願補正発明の「遊技機」は、「複数種類の識別情報が仮停止態様にて仮停止表示したことに対応して、当該仮停止表示した識別情報が複数の動きの組み合わせにより動作する演出動作を実行可能」であるのに対し、引用発明の「パチンコ機」（遊技機）はそのような構成を具備しない点。
　
（４）判断
　上記相違点について検討する。
　複数種類の識別情報が仮停止態様にて仮停止表示したことに対応して、当該仮停止表示した識別情報が複数の動きの組み合わせにより動作する演出動作を実行可能とすることは、例えば特開２００２−１７７５３３号公報や、特開平１１−２８２７６号公報にみられるように従来より周知の事項である。
（特開２００２−１７７５３３号公報については、【００８５】の
「その後、図１９の如く、左特別図柄Ｓ１，右特別図柄Ｓ２の順にスクロール変動を終了すると共に、そのスクロール変動していない特別図柄Ｓ１，Ｓ２を、図２０〜図２３のように仮停止表示する。該仮停止表示は、前記仮停止態様決定処理（Ｓ９０）の表示指示（Ｓ９３，Ｓ９５，Ｓ９８）に基づく態様でなされる。この例では、前記仮停止態様決定処理（Ｓ９０）の高速拡縮仮停止表示指示（Ｓ９５）に基づいて、スクロール変動を終了した特別図柄Ｓ１，Ｓ２の少なくとも一方（図では両方）を、短時間で連続的に拡大変化していく拡大表示と、短時間で連続的に縮小変化していく縮小表示とが繰り返されている。・・・」
との記載を参照。
　特開平１１−２８２７６号公報については、【０１１３】〜【０１１６】のうち特に、
「【０１１５】そして、図１９の（ｃ）に示されるように、・・・。そのように中図柄５２が一時停止する際には、停止する少し前のタイミングからリーチ状態にある左図柄５１および右図柄５３のそれぞれのキャラクタ５ｂが腕の部分を振る動作を開始し、表示されているすべてのリーチ図柄（左図柄５１および右図柄５３）が、一時停止している中図柄５２に向かって引き寄せられるように接近する表示が行なわれる。その後、図１９の（ｄ）に示されるように変動種類Ａによる超高速で中図柄５２の可変表示が再び開始されるとともに、その開始の際に、中図柄５２に接近したすべての左図柄５１および右図柄５３が、元の位置に戻される表示が行なわれる。・・・
【０１１６】そして、図２０の（ａ）に示されるように、・・・一時停止する。・・・この場合にも、前述したのと同様に、キャラクタ５ｂの動作と、中図柄５２に対する左図柄５１および右図柄５３の接近動作とが行なわれる。その後、図２０の（ｂ）に示されるように、変動種類Ａによる超高速で中図柄５２の可変表示が再び開始されるとともに、その開始の際に、中図柄５２に接近したすべての左図柄５１および右図柄５３が、元の位置に戻される表示が行なわれる。」
との記載や、図１９、図２０を参照。）
　また、刊行物１において、【００４６】に、
「なお、図５（ａ）（ニ）は、前記当たりが決定されて特別図柄表示装置１０２が停止するまでの、特別図柄表示装置１０２の変動演出を示し、例えば特別図柄の大きさを変化したりして変動表示している様子を示している。」
と記載されていることをふまえると、引用発明には、仮停止後に識別情報に対して演出をする前提があるということができる。
　さらに、引用発明および周知の技術は、いずれも興趣の向上という共通の課題を解決しようとする技術である点においても共通している（刊行物１については、【０００６】、上記周知の技術の例示として提示した特開２００２−１７７５３３号公報については【０００７】、特開平１１−２８２７６号公報については【０００５】等を参照。）。
　これらの点を考慮すれば、引用発明の構成ｇにおいて、仮停止表示したことに対応して、当該仮停止表示した識別情報が複数の動きの組み合わせにより動作する演出動作を実行可能とすることは、当業者が容易に想到することというべきである。
　
（５）　請求人の主張及び本願補正発明が奏する効果について 
　
　審判請求人は、本願補正発明について、審判請求書の「５．本願発明と引用発明の対比」にて、刊行物１には、「前記複数種類の識別情報が仮停止態様にて仮停止表示したことに対応して、当該仮停止表示した識別情報が複数の動きの組み合わせにより動作する演出動作を実行可能」（特徴Ａ）であるとすることに相当する事項についての開示及び示唆がない旨を主張している。
　
　しかし当該構成が従来より周知であることは上記説示のとおりであって、引用発明の構成ｇにおいて、仮停止表示したことに対応して、当該仮停止表示した識別情報が複数の動きの組み合わせにより動作する演出動作を実行可能とすることは、当業者が容易に想到することというべきである。
　
　また、本願補正発明の作用効果は、当業者が引用発明及び従来より周知の技術から予測し得るものであって、格別のものということはできない。
　
（６）　まとめ  
　以上のように、本願補正発明は、当業者が引用発明及び従来より周知の技術に基づいて容易に発明をすることができたものであるから、特許法第２９条第２項の規定により、特許出願の際独立して特許を受けることができない。
　
４．　補正の却下の決定についてのむすび 
 　上記３．より、本件補正は、特許法第１７条の２第６項において準用する同法第１２６条第７項の規定に違反するので、同法第１５９条第１項において読み替えて準用する同法第５３条第１項の規定により却下すべきものである。 
  
　
第３　本願発明について 
１．　本願発明 
　本件補正は上記のとおり却下されたので、本願の請求項１に係る発明（以下、「本願発明」という。）は、平成２８年１１月４日付け手続補正書により補正された特許請求の範囲の請求項１に記載された次のとおりのものである（Ａ〜Ｊは本願発明を分説するため当審で付した。）。 
　
「【請求項１】
Ａ　複数種類の識別情報を可変表示する可変表示手段に特定表示結果が導出表示されたときに、遊技者にとって有利な有利状態に制御する遊技機であって、
Ｂ　前記有利状態に制御するか否かを決定する決定手段と、
Ｃ　前記決定手段による決定結果に基づいて、前記複数種類の識別情報の可変表示パターンを複数種類のうちのいずれかに決定する可変表示パターン決定手段と、
Ｄ　前記可変表示パターン決定手段により決定された可変表示パターンに従って、前記複数種類の識別情報の可変表示を実行する可変表示実行手段と、
　を備え、
Ｅ　前記有利状態には、第１有利状態と、当該第１有利状態よりも有利な第２有利状態と、
が含まれ、
Ｆ　前記複数種類の識別情報には、前記第２有利状態に制御されるときに導出表示可能な前記特定表示結果を構成する特別識別情報が含まれ、
Ｇ　可変表示パターンは、前記複数種類の識別情報を仮停止態様で仮停止表示させた後に再度可変表示を実行する再可変表示パターンを含み、
Ｈ′前記複数種類の識別情報が仮停止態様にて仮停止表示したことに対応した演出動作を実行可能であり、
Ｉ　前記可変表示実行手段が前記再可変表示パターンに従って前記複数種類の識別情報の可変表示を実行するときに、仮停止態様を仮停止表示させるときに該仮停止態様を構成する前記複数種類の識別情報のうち一部に前記特別識別情報を仮停止表示させた場合には、再度実行される可変表示における仮停止態様の仮停止表示では、前記特別識別情報以外の所定の前記識別情報を一部に仮停止表示しない、
Ｊ　ことを特徴とする遊技機。」
　
２．　刊行物に記載された事項 
　これに対して、原査定の拒絶の理由に引用された刊行物である上記刊行物１の記載事項、認定事項及び刊行物１に記載された発明（引用発明）については、上記「第２　３．（２）」に示したとおりである。 
　
３．　対比
　本願発明は、「第２　３．（１）」に示した本願補正発明の構成Ｈの「演出動作」における、「仮停止表示した識別情報が複数の動きの組み合わせにより動作する演出動作」であるとの限定を削除し、
「Ｈ′　前記複数種類の識別情報が仮停止態様にて仮停止表示したことに対応した演出動作を実行可能であり、」
としたものであり、本願発明の構成Ｈを除く構成Ａ〜Ｇ、Ｉ〜Ｊは、本願補正発明の構成Ａ〜Ｇ、Ｉ〜Ｊと一致している。
　
　そうすると、本願発明と引用発明との一致点及び相違点は以下のとおりである。
　
（一致点）
「Ａ　複数種類の識別情報を可変表示する可変表示手段に特定表示結果が導出表示されたときに、遊技者にとって有利な有利状態に制御する遊技機であって、
Ｂ　前記有利状態に制御するか否かを決定する決定手段と、
Ｃ　前記決定手段による決定結果に基づいて、前記複数種類の識別情報の可変表示パターンを複数種類のうちのいずれかに決定する可変表示パターン決定手段と、
Ｄ　前記可変表示パターン決定手段により決定された可変表示パターンに従って、前記複数種類の識別情報の可変表示を実行する可変表示実行手段と、
　を備え、
Ｅ　前記有利状態には、第１有利状態と、当該第１有利状態よりも有利な第２有利状態と、
が含まれ、
Ｆ　前記複数種類の識別情報には、前記第２有利状態に制御されるときに導出表示可能な前記特定表示結果を構成する特別識別情報が含まれ、
Ｇ　可変表示パターンは、前記複数種類の識別情報を仮停止態様で仮停止表示させた後に再度可変表示を実行する再可変表示パターンを含み、
Ｉ　前記可変表示実行手段が前記再可変表示パターンに従って前記複数種類の識別情報の可変表示を実行するときに、仮停止態様を仮停止表示させるときに該仮停止態様を構成する前記複数種類の識別情報のうち一部に前記特別識別情報を仮停止表示させた場合には、再度実行される可変表示における仮停止態様の仮停止表示では、前記特別識別情報以外の所定の前記識別情報を一部に仮停止表示しない、
Ｊ　遊技機。」
　
（相違点）
（構成Ｈ′について）
　本願発明の「遊技機」は、「複数種類の識別情報が仮停止態様にて仮停止表示したことに対応した演出動作を実行可能」であるのに対し、引用発明の「パチンコ機」（遊技機）はそのような構成を具備しない点。
　
４．　判断
　上記相違点について検討する。
　複数種類の識別情報が仮停止態様にて仮停止表示したことに対応した演出動作を実行可能とすることは、例えば
特開２００４−８１５７０号公報（特に、【０１０９】を参照）
特開２００２−２０４８６４号公報（特に、【００４６】−【００５８】を参照）
特開２００７−８３０７８号公報（特に、【００４６】−【００６０】を参照）
特開２００２−１７７５３３号公報（特に、【００８５】を参照）
特開平１１−２８２７６号公報（特に、【０１１３】〜【０１１６】や、図１９、図２０を参照）
にみられるように従来より周知の事項である。
　
　そして、刊行物１において、【００４６】に、
「なお、図５（ａ）（ニ）は、前記当たりが決定されて特別図柄表示装置１０２が停止するまでの、特別図柄表示装置１０２の変動演出を示し、例えば特別図柄の大きさを変化したりして変動表示している様子を示している。」
と記載されていることをふまえると、引用発明に、仮停止後に識別情報に対して演出をする前提があることは、上記「第２　３．（４）」においても説示のとおりである。
　さらに、引用発明および周知の技術は、いずれも興趣の向上という共通の課題を解決しようとする技術である点においても共通していることは明らかである。
　これらの点を考慮すれば、引用発明の構成ｇにおいて、仮停止表示したことに対応して演出動作を実行可能とすることは、当業者が容易に想到することというべきである。
　
　また、本願発明の作用効果は、当業者が引用発明及び従来より周知の技術から予測し得るものであって、格別のものということはできない。
　
　したがって、本願発明は、引用発明及び従来より周知の技術に基づいて、当業者が容易に発明をすることができたものである。
　
５．　むすび 
 　以上のとおりであるから、本願発明は、特許法第２９条第２項の規定により、特許を受けることができない。
　
　したがって、本願は拒絶すべきものである。 
　
　よって、結論のとおり審決する。